(57)【要約】      （修正有）【課題】簡易にディスクプレイヤーの取付けあるいは取外しを可能とし、利便性を高めるテレビジョン受像機を提供する。【解決手段】表示装置の表示画面を備える表示体本体３の裏面側に取付自在とされ、表示体本体３の裏面側に対する取付状態で全体扁平状の薄型の表示装置と裏面において一体をなす全体扁平状の薄型をなすディスクプレイヤー７とし、ディスクプレイヤー７は表示体全体に対する取付状態において、表示体本体３と電気的に導通され、表示体本体３の裏面側において開閉されるディスク開閉体１０、ディスク開閉体１０の開状態でディスク１１をディスク面が表示体本体の裏面に略対応する状態でセットアップし、保持可能とする保持部１２を備える。【選択図】図６
0003147602.tif 000002
【実用新案登録請求の範囲】
【請求項１】
液晶ディスプレイ、プラズマディスプレイ、もしくはエレクトロルミネッセンスディスプレイからなる長方形状の表示画面を備え、全体扁平状の薄型の表示装置からなるテレビジョン受像機であって、表示装置の表示画面を備える表示体本体の裏面側に取付自在とされ、表示体本体の裏面側に対する取付状態で全体扁平状の薄型の表示装置と、裏面において一体をなす全体扁平状の薄型をなすディスクプレイヤーを備え、該ディスクプレイヤーは表示体本体に対する取付状態において、表示体本体と電気的に導通され、表示体本体の裏面側において開閉されるディスク開閉体、ディスク開閉体の開状態でディスクをディスク面が表示体本体の裏面に略対応する状態でセットアップし、保持可能とするディスク保持部を備え、かつディスクプレイヤーはディスク保持部にディスクを保持させた状態でディスク開閉体を閉め、ディスクをドライブさせ、ディスクに記憶または記録させた映像信号や音声信号を表示体本体側に出力させて表示体本体の表示画面に該出力された映像信号に基づく映像を表示し、かつ表示体本体のスピーカに該出力された音声信号に基づく音声を出力可能としたことを特徴とするテレビジョン受像機。
【請求項２】
ディスクプレイヤ−の表示体本体に対する取付けは、予め表示体本体の裏面に形成された凹部に全体扁平状をなす函形のディスクプレイヤーを取付け、取付状態において全体扁平状の薄型の表示装置と裏面において一体をなすこととした請求項１に記載のテレビジョン受像機。
【請求項３】
ディスクプレイヤーの表示体本体に対する取付けは、ディスク開閉体を開いた位置に備えられる複数のネジ挿通孔にそれぞれ止めネジを挿通させ、表示体本体側の対応位置に配設される各ネジ孔に対応する止めネジの先端を螺合させて行うこととした請求項１または請求項２のいずれかに記載のテレビジョン受像機。
【請求項４】
ディスクプレイヤーの表示体本体に対する電気的導通は、表示体本体の裏面から延設されるコネクタプラグを、表示体本体の裏面に取付けられるディスクプレイヤーのソケットに接続して行うこととした請求項１ないし請求項３のいずれかに記載のテレビジョン受像機。
【考案の詳細な説明】
【技術分野】
【０００１】
本考案は、全体扁平状の薄型の表示装置にあって、表示装置の表示画面を備える表示体本体の裏面側に、ＣＤ、ＣＤ−Ｒｏｍ、ＤＶＤ等のディスクをドライブさせるディスクプレイヤーを取付自在としたテレビジョン受像機に関する。
【背景技術】
【０００２】
最近、病院の病室、ビジネスホテルなどにおいて、利用者の要望からＤＶＤプレイヤー内蔵型のテレビジョン受像機を設置することが望まれている。
【０００３】
ただＤＶＤプレイヤー内蔵型のテレビジョン受像機は、下記特許文献１に示すようにその機構が大がかりとなり、特に最近ＣＲＴタイプのものに代って、ほとんど主流となりつつある液晶ディスプレイ、プラズマディスプレイ、もしくはエレクトロルミネッセンスディスプレイからなる全体扁平状の薄型の表示装置において、機構状複雑で高重量のＤＶＤプレイヤーを一体化させることは設計上の制約が存在した。
【特許文献１】特開平２００８−２１１４２４号
【考案の開示】
【考案が解決しようとする課題】
【０００４】
また上記のようなＤＶＤプレイヤー内蔵型のテレビジョン受像機は、チューナー部分に比して機械的な駆動部分が多いＤＶＤプレイヤー部分が故障する頻度が高く、このような故障が発生した場合、テレビジョン受像機の全体を修理のため移動しなければならなかった。
【０００５】
このような不具合から、本願の考案者は、液晶ディスプレイ、プラズマディスプレイ、もしくはエレクトロルミネッセンスディスプレイからなる全体扁平状の薄型の表示装置において、簡易にディスクプレイヤーを取付け、あるいは取外すことを可能とし、しかもプレイヤーの取付け状態においてテレビジョン受像機全体の薄型、扁平からなるデザイン性、機能性を失うことのない装置の開発を行ったところ、本考案に係るテレビジョン受像機を開発した次第である。
【０００６】
本考案は、全体薄型のテレビジョン受像機にあって、簡易にディスクプレイヤーの取付けあるいは取外しを可能とし、テレビジョン受像機の利便性を高めることを目的としている。。
【課題を解決するための手段】
【０００７】
上記課題を解決するため、本考案の請求項１は液晶ディスプレイ、プラズマディスプレイ、もしくはエレクトロルミネッセンスディスプレイからなる長方形状の表示画面を備え、全体扁平状の薄型の表示装置からなるテレビジョン受像機であって、表示装置の表示画面を備える表示体本体の裏面側に取付自在とされ、表示体本体の裏面側に対する取付状態で全体扁平状の薄型の表示装置と、裏面において一体をなす全体扁平状の薄型をなすディスクプレイヤーを備え、該ディスクプレイヤーは表示体本体に対する取付状態において、表示体本体と電気的に導通され、表示体本体の裏面側において開閉されるディスク開閉体、ディスク開閉体の開状態でディスクをディスク面が表示体本体の裏面に略対応する状態でセットアップし、保持可能とするディスク保持部を備え、かつディスクプレイヤーはディスク保持部にディスクを保持させた状態でディスク開閉体を閉め、ディスクをドライブさせ、ディスクに記憶または記録させた映像信号や音声信号を表示体本体側に出力させて表示体本体の表示画面に該出力された映像信号に基づく映像を表示し、かつ表示体本体のスピーカに該出力された音声信号に基づく音声を出力可能としたことを特徴とするテレビジョン受像機としたものである。
【０００８】
また、本考案の請求項２は、ディスクプレイヤ−の表示体本体に対する取付けは、予め表示体本体の裏面に形成された凹部に全体扁平状をなす函形のディスクプレイヤーを取付け、取付状態において全体扁平状の薄型の表示装置と裏面において一体をなすこととした請求項１に記載のテレビジョン受像機としたものである。
【０００９】
また本考案の請求項３は、ディスクプレイヤーの表示体本体に対する取付けは、ディスク開閉体を開いた位置に備えられる複数のネジ挿通孔にそれぞれ止めネジを挿通させ、表示体本体側の対応位置に配設される各ネジ孔に対応する止めネジの先端を螺合させて行うこととした請求項１または請求項２のいずれかに記載のテレビジョン受像機としたものである。
【００１０】
さらに本考案の請求項４は、ディスクプレイヤーの表示体本体に対する電気的導通は、表示体本体の裏面から延設されるコネクタプラグを、表示体本体の裏面に取り付けられるディスクプレイヤーのソケットに接続して行うこととした請求項１ないし請求項３のいずれかに記載のテレビジョン受像機としたものである。
【考案の効果】
【００１１】
本考案によれば、表示装置の表示画面を備える表示体本体の裏面側に取付自在とされ、表示体本体の裏面に対する取付状態で全体扁平状の薄型の表示装置の裏面において一体をなす全体扁平状の薄型となすディスクプレイヤーとし、該ディスクプレイヤーは表示体本体に対する取付状態において、表示体本体と電気的に導通され、表示体本体の裏面側において開閉されるディスク開閉体、ディスク開閉体の開状態でディスクをディスク面が表示体本態の裏面に略対応する状態でセットアップし、保持可能とするディスク保持部を備えることとしたため、取付状態においてテレビジョン受像機本体の薄型、扁平からなるデザイン的特性を失うことがない。また、機構的にもチューナー、スピーカ等を備えた表示体本体に対し、高重量のプレイヤーを取付けた際に荷重的に負担となることもなく、取外しも容易となる。
【００１２】
さらに表示体本体に取付られたデディスクプレイヤーはディスク保持部にディスクを保持させた状態でディスク開閉体を閉め、ディスクをドライブさせ、ディスクに記憶または記録させた映像信号や音声信号を表示体本体側に出力させて表示体本体の表示画面に該出力された映像信号に基づく映像を表示し、かつ表示体本体のスピーカに該出力された音声信号に基づく音声を出力できる。よってテレビジョン受像機を、テレビモニタとしても、ディスクモニタとしても利用することが可能となり、仮にディスクモニタしての機能が不要となったり、ディスクプレイヤーが故障した場合、容易に表示体本体から取り外すことも可能となる。
この結果、テレビジョン受像機の利便性を大幅に高めることが可能となる。
【考案を実施するための最良の形態】
【００１３】
以下、本考案の実施形態に係るテレビジョン受像機を図１ないし図７に基づいて説明する。実施形態に係るテレビジョン受像機１は、図１に示す正面から観た状態において、長方形状の表示画面２を備える液晶ディスプレイ、プラズマディスプレイ、もしくはエレクトロルミネッセンスディスプレイからなる。こうしたディスプレイを備えるテレビジョン受像機１は、従来のＣＲＴタイプのテレビジョン受像機に比べて表示装置が図２に示すように全体扁平状の薄型をなす。
【００１４】
よって、従来のＣＲＴタイプのテレビジョン受像機に比べ、デザイン面において嵩張らずすっきりとした形状をなし、しかも軽量とされる。テレビジョン受像機１は、表面側に表示画面２を備える表示体本体３を、図１ないし図３に示すように載置面４に載置するための基台５を裏面側に取付けてなり、表示体本体３は図３に示すように基台５の保持アーム５Ａの部分を中心にθ方向に回動可能とされ、表示画面２を指向方向を可変に設定することを可能にしている。
【００１５】
表示体本体３には、テレビチューナ、スピーカなどが内蔵される他、他の機器と接続可能な様々な接続端子群６が裏面側に備えられる。テレビジョン受像機１は、電源をＯＮとし、内蔵されるチューナにおいて放送信号を増幅し、表示体本体３の表示画面に映像を表示するとともにスピーカから放送内容に係る音声信号に基づく音声を出力可能としている。
【００１６】
この結果、テレビジョン受像機１は地上波放送、有線テレビ放送の内容をモニタすることが可能となる。
【００１７】
一方、実施形態に係るテレビジョン受像機１は、表示装置の表示画面２を備える表示体本体３の裏面側において、裏面側から観た左側に全体扁平な函形をなすディスクプレイヤー７を取付自在としている。
【００１８】
すなわち、このディスクプレイヤー７は、表示体本体３に対する取付状態において、図１ないし図３に示すように全体扁平状をなす薄型の表示装置と、裏面において一体をなすものとされる。特に図２や図３に示される取付状態で明らかなように、表示体本体３の他の外形位置のレベルからディスクプレイヤー７が突出したり、逆に凹むこともなく、プレイヤー７の取付状態で表示体本体３の外形が略フラットな状態をなすようにデザイン的に処理されている。
【００１９】
一方、表示体本体３には、全体扁平形状のプレイヤー７の形状に相応し、該プレイヤー７を取付けるための角形の凹部８が、予め裏面の左側に形成され（図６参照）、これにより全体扁平状をなす函形のプレイヤー７の取付状態において、テレビジョン受像機が全体扁平状の薄型の表示装置と、裏面において一体をなすこととなる。
【００２０】
ディスクプレイヤー７は、表示体本体３に対する取付状態において、表示体本体３の裏面側から観た左側面部にプレイヤー７のＯＮ・ＯＦＦ、再生、早送り、停止等の各操作を行うためのスイッチ群９が備えられる。プレイヤー７には、表示体本体３に対する取付状態において、図４に示す状態から図５に示す状態に示すように裏面側に向けて開閉されるディスク開閉体１０が備えられる。このディスク開閉体１０の開閉操作は、スイッチ群９に備えられるオープン・クローズボタンの操作に基づき行われる。プレイヤー７のディスク開閉体１０が開放された位置には、図５に示すように円板状のディスク１１を保持するための保持部１２が備えられる。この保持面１２におけるＣＤ、ＤＶＤ等のディスク１１の保持は、ディスク面が表示体本体３の裏面に略対応する状態でセットアップできるように設定される。このため、テレビジョン受像機１は、ディスクプレイヤー７の取付状態において、設計上、表示体本体３の扁平形状のデザインに影響を及ぼすことがなく、表示体本体３の裏面のレベルと略フラットな状態に一体化できる最も良好な状態でプレイヤー７を表示体本体３に取付けることが可能となる。
【００２１】
すなわち、このようなプレイヤー７におけるディスク１１の保持状態により、高荷重のプレイヤー７を表示体本体３に対して負担をかけることなく、しかも表示体本体３の機能性を失わせることなく一体化させることができる。
【００２２】
こうして表示体本体３の裏面に対して一体化する状態で取付けることが可能なディスクプレイヤー７は、図６に示す表示体本体３の裏面側における凹部８に取付けられ、表示体本体３の裏面の内部より延設されるコネクタプラグ１３を図７に示すディスクプレイヤー７の裏面に取付けられるソケット１４に接続することにより表示体本体３と電気的に導通される。そして、コネクタプラグ１３をソケット１４から矢印方向（図７参照）に抜くことにより、ディスクプレイヤー７は図６に示すように表示体本体３の裏面より取外すことが可能となる。
【００２３】
逆にディスクプレイヤー７の表示体本体３の裏面凹部８に対する取付けは、図７に示すようにコネクタプラグ１３をソケット１４に対して接続した後、凹部８に対して全体扁平形状の函形からなるディスクプレイヤー７を、矢印方向に嵌め込むようにして行う。凹部８内には上下２つの突起１５が備えられ（図６参照）、一方ディスクプレイヤー７の裏面にはこれら突起１５と対応し、嵌合可能な凹体１６が備えられる（図７参照）。凹部８に対するプレイヤー７の嵌め込みは、各突起１５に対し、対応する凹体１６を「カチッ」と嵌めるようにして行う。各突起１５を対応する凹体１６に嵌めるように一体化した状態において、開状態としたディスク開閉体１０の保持面１２の上下位置に存在するネジ挿通孔１８にそれぞれ止めネジ１９を挿通し、図６の突起１５上に存在するネジ孔２０に挿通孔１８を貫通した止めネジ１９の先端を螺合する。ネジ１９の螺合は、図６に示すドライバ２１やコインを用いることにより簡単に行うことが可能とされ、各ネジ１９の螺合により図５に示すように表示体本体３の裏面の凹部８にディスクプレイヤー７を簡単に一体化させることが可能となる。
【００２４】
このようにして、表示体本体３の裏面に対して取り付けられて一体化され、ソケット１４に対するコネクタプラグ１３の接続により表示体本体３と電気的に導通されるディスクプレイヤー７は、図５に示すディスク開閉体１０の開状態において保持面１２にディスク１１を保持させるようにする。
【００２５】
この状態でディスク開閉体１０を図４に示すように閉め、セットアップされたディスク１１をディスクプレイヤー７の駆動によりドライブさせるようにする。この結果、電気的に導通された表示体本体３に対して、ディスク１１に記憶または記録させた映像信号や音声信号を出力されることが可能となる。
【００２６】
このようにして表示体本体３に対して出力された各信号に基づき、先ず表示体本体３の表示画面２に対して出力された映像信号に基づく映像を表示し、かつ表示体本体３のスピーカにおいて、出力された音声信号に基づく音声を出力させることが可能となる。すなわち表示体本体３において、一体化されたディスクプレイヤー７から出力された信号に基づく映像や音声をモニタすることが可能となり、こうしてテレビジョン受像機１をテレビ放送モニタの他、ディスクモニタ（ＤＶＤモニタ等）として利用することが可能となる。
【００２７】
こうして表示体本体３の裏面側に取付け、または裏面側から取外すことを可能としたディスクプレイヤー７は、例えばディスクプレイヤー７に故障が生じた場合、ディスク開閉体１０を開け、コインやドライバ２１を用いて止めネジ１９をネジ孔２０から螺合解除することで表示体本体３から簡単に取外し、テレビジョン受像機１の全体を持ち運ぶことなく故障を修理することができる。また、こうして取外したディスクプレイヤー７を、新しいものに交換することも可能となる。
【００２８】
さらに加えて、病院の病室やウィークリマンション、ビジネスホテルに、上記実施形態に係るテレビジョン受像機１を設置した場合において、ディスクプレイヤー７を不要とする看者やユーザの要望に応える状態で、表示体本体３からディスクプレイヤー７を容易に取外し、さらに再度取付けることも可能となる。
【００２９】
また、ディスクプレイヤーの取付け、取外しは、一見して判らない位置にあるディスク開閉体１０を開いた位置にある止めネジ１９を取外して行うため、小さな子供が不用意にディスクプレイヤー７のみを取外してしまう事故を起こすこともない。
【００３０】
さらに加えて、ディスクプレイヤー７を操作するためのスイッチ群９は、表示体本体３に取付けられた状態において、テレビジョン受像機１の正面から観て右側面位置に備えられるため、テレビジョン受像機１において一体化されたディスクプレイヤー７の操作性も損なうことがない。
【００３１】
このように上記実施形態に係るテレビジョン受像機１によれば、プレイヤー７の取付状態においてテレビジョン受像機全体の薄型、扁平からなるデザイン性、機能性を失うことがない。また、簡易にディスクプレイヤー７の取付け、あるいは取外しを可能とし、テレビジョン受像機１の利便性を高めることが可能となる。
【産業上の利用可能性】
【００３２】
以上のように、本考案に係るテレビジョン受像機は、表示体本体の裏面に対して簡易に取付け、あるいは取り外すことが可能となり、例えば病院の病室、ビジネスホテルなどに設置するタイプの用途があり、その利便性を高めることが可能となる。
【図面の簡単な説明】
【００３３】
【図１】実施形態に係るテレビジョン受像機を示す正面図である。
【図２】テレビジョン受像機の裏面図である。
【図３】テレビジョン受像機の右側面図である。
【図４】ディスクプレイヤーが取付けられたテレビジョン受像機の裏面側から観た斜視図である。
【図５】ディスクプレイヤーのディスク開閉体を開いた状態を示す図４と同様の斜視図である。
【図６】表示体本体からディスクプレイヤーを取り外した状態を示すテレビジョン受像機を裏面側から観た斜視図である。
【図７】表示体本体からディスクプレイヤーを取り外し、プレイヤーの背面を示す図３と同様の右側面図である。
【符号の説明】
【００３４】
１      テレビジョン受像機
２      表示画面
３      表示体本体
４      載置面
５      基台
５Ａ    保持アーム
６      接続端子群
７      ディスクプレイヤー
８      凹部
９      スイッチ群
１０    ディスク開閉体
１１    ディスク
１２    保持部
１３    コネクタプラグ
１４    ソケット
１５    突起
１６    凹体
１８    ネジ挿通孔
１９    止めネジ
２０    ネジ孔
２１    ドライバ
【図１】
0003147602.tif 000003
【図２】
0003147602.tif 000004
【図３】
0003147602.tif 000005
【図４】
0003147602.tif 000006
【図５】
0003147602.tif 000007
【図６】
0003147602.tif 000008
【図７】
0003147602.tif 000009